(57)【要約】【課題】写真サイズが日本規格以外の規格の場合、又、サイズを自動検出する場合等にも適応することができる写真原稿を扱う画像形成装置及び方法を提供する。【解決手段】原稿台に置かれた階調原稿の画像を読取る読取部４と、オートモードとマニュアルモードとの一方を選択する選択部Ｍ２，Ｍ６、Ｍ９と、選択部でマニュアルモードが選択された時、ユーザの指示に応じて階調原稿のサイズを決定し、選択部でオートモードが選択された時、読取部が読取った階調原稿のサイズを自動検出して決定する決定部９６と、決定部で決定された階調原稿のサイズと、ユーザの指示に応じて設定された記録媒体のサイズとに基づいて拡大率を決定し、この拡大率に応じて階調原稿の画像を拡大する画像処理部９６と、画像処理部が処理した画像情報に基づいて記録媒体上に画像形成する画像形成部６とを有する画像形成装置。【選択図】図２
2005227588.tif 000002
【特許請求の範囲】
【請求項１】
原稿台に置かれた階調原稿の画像を読取る読取部と、
オートモードとマニュアルモードとの一方を選択する選択部と、
前記選択部で前記マニュアルモードが選択された時、ユーザの指示に応じて前記階調原稿のサイズを決定し、前記選択部で前記オートモードが選択された時、前記読取部が読取った前記階調原稿のサイズを自動検出して決定する決定部と、
前記決定部で決定された前記階調原稿のサイズと、ユーザの指示に応じて設定された記録媒体のサイズとに基づいて拡大率を決定し、この拡大率に応じて前記階調原稿の画像を拡大する画像処理部と、
前記画像処理部が処理した画像情報に基づいて前記記録媒体上に画像形成する画像形成部と、を具備することを特徴とする画像形成装置。
【請求項２】
前記画像処理部は、前記読取部が読取った前記階調原稿の画像の濃度分布から階調画像であると判断すると、前記画像に対して、印画紙写真モードによる画像処理を施すことを特徴とする請求項１記載の画像形成装置。
【請求項３】
前記画像処理部は、前記読取部が読取った前記階調原稿の画像の前記記録媒体への画像形成位置に応じて、前記階調原稿と前記記録媒体のアスペクト比を考慮して、センタリングを行い、前記決定した拡大率に応じて拡大処理を行うことを特徴とする請求項１記載の画像形成装置。
【請求項４】
前記決定部は、ユーザが入力した数値に応じて、前記階調原稿のサイズを決定することを特徴とする請求項１記載の画像形成装置。
【請求項５】
前記決定部は、前記階調原稿のサイズの選択肢となる写真サイズとして、仕向地毎に対応している写真サイズの中から少なくとも１つを、ユーザが選択可能に画面上に表示することを特徴とする請求項１記載の画像形成装置。
【請求項６】
前記決定部は、前記階調原稿のサイズの選択肢となる写真サイズとして、北米規格の写真サイズである３インチ×５インチ、４インチ×６インチ、５インチ×７インチ、８インチ×１２インチの少なくとも一つ、又は、欧州規格の写真サイズである９×１３ｃｍ、１０×１５ｃｍ、１３×１８ｃｍ、２０×３０ｃｍの少なくとも一つ、又は、日本規格の写真サイズであるＬ版、２Ｌ版、八つ切、六つ切の少なくとも一つを、ユーザが選択可能に画面上に表示することを特徴とする請求項１記載の画像形成装置。
【請求項７】
原稿台に置かれた階調原稿の画像を読み取り、
オートモードとマニュアルモードとの一方を選択し、
前記マニュアルモードが選択された時、ユーザの指示に応じて前記階調原稿のサイズを決定し、前記オートモードが選択された時、前記読取部が読取った前記階調原稿のサイズを自動検出して決定し、
前記決定された前記階調原稿のサイズとユーザの指示に応じて設定された記録媒体のサイズとに基づいて拡大率を決定し、この拡大率に応じて前記階調原稿の画像を拡大し、
前記画像処理部が処理した画像情報に基づいて前記記録媒体上に画像形成する、
ことを特徴とする画像形成方法。
【請求項８】
前記読取った前記階調原稿の画像の濃度分布から階調性を判断して、この画像が階調画像であると判断すると、前記画像に対して印画紙写真モードによる画像処理を施すことを特徴とする請求項７記載の画像形成方法。
【請求項９】
前記読取部が読取った前記階調原稿の画像の前記記録媒体への画像形成位置に応じて、前記階調原稿と前記記録媒体のアスペクト比を考慮して、センタリングを行い、前記決定した拡大率に応じて拡大処理を行うことを特徴とする請求項７記載の画像形成方法。
【請求項１０】
前記階調原稿のサイズは、ユーザが入力した数値に応じて決定することを特徴とする請求項７記載の画像形成方法。
【請求項１１】
前記階調原稿のサイズの選択肢となる写真サイズとして、仕向地毎に対応している写真サイズの中から少なくとも１つを、ユーザが選択可能に画面上に表示することを特徴とする請求項７記載の画像形成方法。
【請求項１２】
前記階調原稿のサイズの選択肢となる写真サイズとして、北米規格の写真サイズである３インチ×５インチ、４インチ×６インチ、５インチ×７インチ、８インチ×１２インチの少なくとも一つ、又は、欧州規格の写真サイズである９×１３ｃｍ、１０×１５ｃｍ、１３×１８ｃｍ、２０×３０ｃｍの少なくとも一つ、又は、日本規格の写真サイズであるＬ版、２Ｌ版、八つ切、六つ切の少なくとも一つを、ユーザが選択可能に画面上に表示することを特徴とする請求項７記載の画像形成方法。
【発明の詳細な説明】
【技術分野】
【０００１】
この発明は、画像形成装置に関し、特に、写真原稿を複写する画像形成装置及び画像形成方法に関する。
【背景技術】
【０００２】
最近、デジタル複写機等の画像形成装置の性能向上に伴い、複写機能だけに止まらず、プリンタとしての機能も併せもった総合デジタル機器が開発され普及してきている。このような画像形成装置においては、非常に高品質な画像形成がなされる一方、例えば、写真画像のような階調性のある画像に対しても、柔軟に対応することができる付加機能が要望されている。
【０００３】
これに応じて、例えば、従来の画像形成装置においては、写真サイズを操作画面から入力すると、これに応じて、対応するサイズの用紙が選択されて、写真画像がこの用紙上に画像形成されるものが知られている（例えば、特許文献１参照）。
【特許文献１】特開平１１−２３４４８３号公報。
【発明の開示】
【発明が解決しようとする課題】
【０００４】
しかし、従来技術の画像形成装置においては、写真サイズが日本の規格と異なる場合、又、既成の規格とはあっていない場合にどのように対応するべきかがわからないという問題がある。
【０００５】
本発明は、写真サイズが日本規格以外の規格の場合、又、サイズを自動検出する場合等にも適応することができる写真原稿を扱う画像形成装置及び画像形成方法を提供することを目的とする。
【課題を解決するための手段】
【０００６】
本発明の画像形成装置は、原稿台に置かれた階調原稿の画像を読取る読取部と、オートモードとマニュアルモードとの一方を選択する選択部と、前記選択部で前記マニュアルモードが選択された時、ユーザの指示に応じて前記階調原稿のサイズを決定し、前記選択部で前記オートモードが選択された時、前記読取部が読取った前記階調原稿のサイズを自動検出して決定する決定部と、前記決定部で決定された前記階調原稿のサイズと、ユーザの指示に応じて設定された記録媒体のサイズとに基づいて拡大率を決定し、この拡大率に応じて前記階調原稿の画像を拡大する画像処理部と、前記画像処理部が処理した画像情報に基づいて前記記録媒体上に画像形成する画像形成部とを具備することを特徴とする画像形成装置である。
【発明の効果】
【０００７】
上記した画像形成装置においては、例えば、オートモードかマニュアルモードのアイコンを操作画面上に表示することにより、ユーザが、これの一方を指定することで、どちらかのモードが選択される。オートモードであれば、スキャナ台に置かれた写真原稿をプリスキャン等で自動的に読み取り、読み取った画像情報に基づいて写真原稿のサイズが自動的に判断される。
【０００８】
又、マニュアルモードであれば、例えば、日本用であれば、Ｌ版、２Ｌ版、八つ切、六つ切等のアイコンを操作画面に表示してユーザの選択を待つことで、又、北米用であれば、３インチ×５インチ、４インチ×６インチ、５インチ×７インチ、８インチ×１０インチ等のアイコンを操作画面に表示してユーザの選択を待つことで、又、欧州用であれば、９ｃｍ×１３ｃｍ、１０ｃｍ×１５ｃｍ、１３ｃｍ×１８ｃｍ、２０ｃｍ×３０ｃｍ等のアイコンを操作画面に表示してユーザの選択を待つことで、マニュアルで写真原稿のサイズが決定される。又、本発明に係る画像形成装置においては、これらの仕向けモード（北米、欧州、日本等）は、ユーザが任意に選択して決定することが可能となる。
【発明を実施するための最良の形態】
【０００９】
以下、この発明の実施の形態について、図面を参照して詳細に説明する。図１は、本発明に係る画像形成装置の操作部の基礎画面の表示の一例を示す図、図２は、この操作部のフォトズームの表示の一例を示す図、図３は、この操作部のフォトズームの表示の一例を示す図、図４は、本発明に係る画像形成装置の構成の一例を示す断面図、図５は、この構成の一例を示すブロック図である。
【００１０】
＜本発明に係る画像形成装置＞
（機械的構成）
初めに、本発明に係る画像形成装置の構成の一例を説明する。図４は、画像形成装置の内部構造を説明するための構造図である。この画像形成装置１は、画像読取り部としてのカラースキャナ部４、プリンタ部６、原稿自動送り装置（以下、ＡＤＦ：Auto Document Feederと略す）７、後述する操作パネル８０などから構成されている。
【００１１】
スキャナ部４は、その上部にＡＤＦ７を有し、閉じた状態にあるＡＤＦ７に対向配設され、原稿がセットされる透明ガラスからなる原稿載置台８を備えている。原稿載置台８の下方には、原稿載置台８上に載置された原稿を照明する露光ランプ２５、露光ランプ２５からの光を原稿に集光して原稿からの反射光を例えば図面に対して左方向に折り曲げる第１ミラー２６が第１キャリッジ２７に固定されている。
【００１２】
第１キャリッジ２７は、原稿載置台８と平行に移動可能に配置され、図示しない歯付きベルト等を介して図示しないスキャニングモータにより、原稿載置台８の下方を往復移動される。
【００１３】
又、原稿載置台８の下方には、原稿載置台８と平行に移動可能な第２キャリッジ２８が配設されている。第２キャリッジ２８には、第１ミラー２６により偏向された原稿からの反射光を順に偏向する第２および第３のミラー３０、３１が互いに直角に取り付けられている。第２キャリッジ２８は、第１キャリッジ２７を駆動する歯付きベルト等により、第１キャリッジ２７に対して従動されるとともに、第１キャリッジ２７に対して、１／２の速度で原稿載置台８に沿って平行に移動される。
【００１４】
又、原稿載置台８の下方には、第２キャリッジ２８上の第３ミラー３１からの反射光を集束する結像レンズ３２と、結像レンズにより集束された反射光を受光して光電変換するＣＣＤ（光電変換素子）３４とが配設されている。結像レンズ３２は、第３のミラー３１により偏向された光の光軸を含む面内に、駆動機構を介して移動可能に配設され、自身が移動することで反射光を所望の倍率で結像する。そして、ＣＣＤ３４は、入射した反射光を光電変換し、読取った原稿に対応する電気信号を出力する。
【００１５】
一方、プリンタ部６は、潜像形成手段として作用するレーザ露光装置４０を備えている。レーザ露光装置４０は、光源としての半導体レーザと、半導体レーザから出射されたレーザ光を連続的に偏向する走査部材としてのポリゴンミラーと、ポリゴンミラーを所定の回転数で回転駆動する走査モータとしてのポリゴンモータと、ポリゴンミラーからのレーザ光を偏向して後述する感光体ドラム４４へ導く光学系とを備えている。
【００１６】
又、プリンタ部６は、装置本体のほぼ中央に配設された像担持体としての回転自在な感光体ドラム４４を有し、感光体ドラム４４周面は、レーザ露光装置４０からのレーザ光により露光され、所望の静電潜像が形成される。感光体ドラム４４の周囲には、ドラム周面を所定の電荷に帯電させる帯電チャージャ４５、感光体ドラム４４の周面上に形成された静電潜像に現像剤としてのトナーを供給して所望の画像濃度で現像する現像器ユニット４６、感光体ドラム４４に形成されたトナー像を用紙に転写させる転写チャージャ４８が配置されている。
【００１７】
装置本体内の下部には、それぞれ装置本体から引出し可能な上段カセット５２、下段カセット５４が互いに積層状態に配設され、これらのカセットの側方には大容量フィーダ５５が設けられ、大容量フィーダ５５の上方には、手差しトレイ５６を兼ねた給紙カセット５７が脱着自在に装着されている。
【００１８】
感光体ドラム４４の上流側にはレジストローラ対６５が設けられている。レジストローラ対６５は、取り出されたコピー用紙の傾きを補正するとともに、感光体ドラム４４上のトナー像の先端とコピー用紙の先端とを整合させ、感光体ドラム４４の周面の移動速度と同じ速度でコピー用紙を転写ベルトユニット４９へ給紙する。
【００１９】
又、装置本体の前面上部には、様々な複写条件並びに複写動作を開始させる複写開始信号などを入力する操作パネル８０が設けられている。操作パネル８０は、例えば図５に示すように、プリントキー８２、パネルＣＰＵ８３、液晶表示部８４によって構成されている。プリントキー８２は、コピー開始を指示するものである。液晶表示部８４は、原稿枚数やコピー枚数を表示するとともに、複写倍率や編集の表示や種々の操作案内を行うものである。この液晶表示部８４には、タッチパネルが設けられている。
【００２０】
（電気的構成）
本発明に係る画像形成装置は、図５に示されるブロック図において、主制御部９０内のメインＣＰＵ（中央処理ユニット）９１と、カラースキャナ部４のスキャナＣＰＵ１００と、カラープリンタ部６のプリンタＣＰＵ１１０の３つのＣＰＵによる制御部で構成される。メインＣＰＵ９１は、プリンタＣＰＵ１１０とシリアル通信を行って動作指示を出し、プリンタＣＰＵ１１０は状態ステータスを返すようになっている。又、メインＣＰＵ９１は、スキャナＣＰＵ１００とシリアル通信を行って動作指示を出し、スキャナＣＰＵ１００は状態ステータスをメインＣＰＵ９１に返すようになっている。
【００２１】
操作パネル８０は、メインＣＰＵ９１に接続されている。又、主制御部９０は、メインＣＰＵ９１、ＲＯＭ９２、ＲＡＭ９３、ＮＶＭ９４、画像処理部９６、ページメモリ制御部９７、ページメモリ９８、プリンタコントローラ９９及びＨＤＤ１２４によって構成されている。
【００２２】
メインＣＰＵ９１は、主制御部９０の全体を制御するものである。ＲＯＭ９２は、制御プログラムが記憶されている。ＲＡＭ９３は、一時的にデータを記憶するものである。
【００２３】
ＮＶＭ（持久ランダムアクセスメモリ：nonvolatileＲＡＭ）９４は、バッテリ（図示しない）にバックアップされた不揮発性のメモリであり、電源を切った時ＮＶＭ９４上のデータを保持するようになっている。
【００２４】
ページメモリ制御部９７は、ページメモリ９８に画像データを記憶したり、読出したりするものである。ページメモリ９８は、複数ページ分の画像データを記憶できる領域を有し、スキャナ部４からの画像データを圧縮したデータを１ページ分ごとに記憶可能に形成されている。プリンタフォントＲＯＭ１２１には、プリントデータに対応するフォントデータが記憶されている。
【００２５】
プリンタコントローラ９９は、プリンタフォントＲＯＭ１２１を含み、パーソナルコンピュータ等の外部機器１２２からのプリントデータを入力ポート１６を介してそのプリントデータに付与されている解像度を示すデータに応じた解像度でプリンタフォントＲＯＭ１２１に記憶されているフォントデータを用いて画像データに展開するものである。更に、外部インターフェース１２３は、外部装置１２２との各種信号の通信を行うものである。
【００２６】
スキャナ部４は、スキャナ部４の全体を制御するスキャナＣＰＵ１００、制御プログラム等が記憶されているＲＯＭ１０１、データ記憶用のＲＡＭ１０２、ＣＣＤセンサ３４を駆動するＣＣＤドライバ１０３、露光ランプ２５およびミラー２６、３０、３１等を移動するモータの回転を制御するスキャンナモータドライバ１０４、ＣＣＤセンサ３４からのアナログ信号をデジタル信号に変換するＡ／Ｄ変換回路とＣＣＤセンサ３４のばらつき、又は、周囲の温度変化などに起因するＣＣＤセンサ３４からの出力信号に対するスレッショルドレベルの変動を補正するためのシェーディング補正回路と、シェーディング補正回路からのシェーディング補正されたデジタル信号を一旦記憶するラインメモリからなる画像補正部１０５によって構成されている。
【００２７】
プリンタ部６は、プリンタ部６の全体を制御するプリンタＣＰＵ１１０、制御プログラム等が記憶されているＲＯＭ１１１、データ記憶用のＲＡＭ１１２、半導体レーザによる発光（露光）をオン／オフするレーザドライバ１１３、レーザユニットのポリゴンモータの回転を制御するポリゴンモータドライバ（モータ制御装置）１１４、搬送路による用紙の搬送を制御する紙搬送部１１５、帯電チャージャ４５、現像器ユニット４６、転写チャージャ４８を用いて帯電、現像、転写を行う現像プロセス部１１６、定着器ユニット６０を制御する定着制御部１１７、およびオプション部１１８、又、出力ポート１３と、入力ポート１６と、本発明の実施形態である画像形成装置２０によって構成されている。
【００２８】
又、画像処理部９６とページメモリ９８とは画像データを送受信するべく接続されており、画像補正部１０５と画像処理部とは、画像データを送受信するべく接続されており、同様に、画像補正部１０５とカラー印字制御装置２０とは、画像データを送受信するべく接続されており、同様に、プリンタコントローラ９９と画像処理部９６とも、画像データを送受信するべく接続されている。
【００２９】
＜画像形成装置の写真原稿の処理＞
次に、上述した画像形成装置が、写真印画紙等を複写する場合の動作処理について、以下に、フローチャート等の図面を用いて詳細に説明する。図６は、本発明に係る画像形成装置の操作部のカスタムサイズの表示の一例を示す図、図７は、これの操作部の基礎画面の表示の一例を示す図、図８は、これの操作部のフォトズームの表示の一例を示す図、図９は、これの操作部のカスタムサイズの表示の一例を示す図、図１０は、これの操作部の基礎画面の表示の一例を示す図、図１１は、これの操作部のフォトズームの表示の一例を示す図、図１２は、これの操作部のカスタムサイズの表示の一例を示す図、図１３は、本発明に係る画像形成装置が扱う印画紙サイズ名と実サイズ、複写倍率との関係を示す図、図１４は、これの写真原稿の複写処理の一例を示すフローチャート、図１５は、これの写真原稿の自動サイズ認識を伴なう複写処理の一例を示すフローチャートである。
【００３０】
本発明に係る画像形成装置１の複写処理は、例えば、主制御部９０のメインＣＰＵ９１が、ＲＯＭ９２等に格納する動作プログラムを実行することにより実現するものである。本発明に係る画像形成装置１の操作画面は、操作パネル８０の液晶表示部８４等に表示されるものであり、その基本画面の一例が、図１に示されている。図１の基本画面Ｍ１は、仕向け先が北米向のものである。この基礎画面Ｍ１から、ユーザの操作により、ＰＨＯＴＯＺＯＯＭボタンＢ１が選択されれば（Ｓ１１）、図２の操作画面Ｍ２（北米向）を表示する（Ｓ１２）。
【００３１】
ステップＳ１２において、図２の操作画面Ｍ２（北米向）が表示されると、この画面において、ユーザは、ＡＵＴＯボタンＢ２を指定することにより、オートモードを選択することができる（Ｓ１３）。なお、オートモードの選択を行わない場合は、図３に示す操作画面Ｍ３となる。
【００３２】
ここで、特に、ＡＵＴＯボタンＢ２が選択されなければ、マニュアルモードが選択され、マニュアルで、原稿サイズとして、写真の印画紙のサイズ４種類の内の一つを選択することができ、更に、印刷される記録媒体として、一つの用紙を選ぶことができる（Ｓ１４）。例えば、原稿に「３インチ×５インチ」、用紙に「ＬＴ−Ｒ」を設定することができる。
【００３３】
なお、ここで、ユーザは、図２の画面で所望のサイズのボタンがない場合は、「ＣＵＳＴＯＭ」ボタンＢ３を選択することで、図６の操作画面Ｍ４に遷移し、写真原稿の実サイズを入力することが可能である。
【００３４】
一方、ステップＳ１１のＰＨＯＴＯＺＯＯＭボタンＢ１の選択に応じて、画像処理部９６の画像処理において、画像処理を行う対象は階調性を有する画像であり、印画紙写真モードによる画像処理が自動的に選択されて処理される。又、ここでは、ＰＨＯＴＯＺＯＯＭボタンＢ１の選択の有無に関わらず、スキャナ部４が読み取った原稿画像情報の階調性を、例えば、画像補正部１０５や画像処理部９６において、その濃度分布が写真画像等の階調性を有する画像であると判断すれば、この時点での判断により、画像処理部９６の画像処理を、印画紙写真モードによる画像処理を施すものであると決定することも好適である。
【００３５】
次に、ユーザの入力により決定された写真原稿のサイズと、記録媒体である用紙のサイズとに応じて、図１３の表に示すデータベース（例えば、ＲＡＭ９３等に格納）に基づき、複写処理の際の拡大率が決定される。ここで、図１３の（ａ）は、３つの仕向けである日本向と北米向と欧州向における、サイズ名と実サイズとの関係を示すデータベースである。図１３の（ｂ）は、北米向のサイズ規格における、印画紙サイズと用紙サイズとの間の倍率を示すデータベース、図１３の（ｃ）は、欧州向のサイズ規格における、印画紙サイズと用紙サイズとの間の倍率を示すデータベース、図１３の（ｄ）は、日本向のサイズ規格における、印画紙サイズと用紙サイズとの間の倍率を示すデータベースである。
【００３６】
ここでは、（ｂ）の北米向けのデータベースにおいて、原稿「３インチ×５インチ」、用紙「ＬＴ−Ｒ」とすれば、２２０％の倍率が自動的に決定される（Ｓ１６）。この倍率は、写真原稿と用紙との間ではアスペクト比が異なることを考慮に含めたものであり、次の、画像情報のセンタリングを行うことで（Ｓ１７）、用紙のほぼ中央に適当な大きさに拡大された写真画像が画像形成されることとなる。
【００３７】
なお、ここで、用紙中の写真画像の印刷について、ある程度の余白を設ける場合の倍率のデータベースを別に設けることが好適である。これは、余白モードとして、ユーザの選択可能なモードとしておけば、余白モードを選択することで、写真画像が用紙の中央に適度な余白をもった状態で画像形成させることが可能となる。
【００３８】
画像の拡大とセンタリングが行われると、画面の表示能力に余裕がある場合は（Ｓ１８）、印刷予定の画像情報を操作画面に表示することが好適である（Ｓ１９）。ここで、ユーザに変更の意思があれば（Ｓ２０）、再び、図２の操作画面Ｍ２等や、更には、図示しない拡大率を直接入力する操作画面において、変更指示を行い、拡大率を変更したり、表示位置を変更したり、用紙を変更することができる（Ｓ２１）。
【００３９】
このようにして決定した拡大率に応じて、画像処理部９６等は、画像を拡大したり、位置を移動したりすることで、印刷のための画像情報を生成する。その後、この画像情報は、プリンタ部６へと供給され、記録媒体である指定された用紙上に画像形成されるものである（Ｓ２２）。
【００４０】
一方、ステップＳ１３において、ＡＵＴＯボタンＢ２が選択されると、図１５のオートモードによる処理へと進む。図１５の処理は、ステップＳ３１とステップＳ３２以外は、図１４の写真原稿の複写処理と同様である。
【００４１】
即ち、印刷媒体である用紙サイズを操作画面Ｍ２等で決定すると（Ｓ３１）、プリスキャン等により、原稿画像の領域識別を行い、スキャナ上の写真原稿のサイズを求めるものである（Ｓ３２）。ここでは、画像処理部９６等で検出された画面濃度分布を検出し、画像の階調性を判断して、原稿が写真原稿であることを検知し、更に、写真画像がどの大きさで存在しているかを判断する。これにより、マニュアルにより、ユーザの操作で指定されなくとも、写真原稿の大きさが自動的に決定される。又、図１の操作画面Ｍ１等のＰＨＯＴＯＺＯＯＭボタンＢ１が選択されたことにより、原稿を写真原稿と判断して、その後の処理を写真原稿の複写処理を行うものと判断することも好適である。ステップＳ３２以降の処理は、図１４のステップＳ１５以降の処理と同等であるため、ここでは説明を省略する。
【００４２】
又、ここで、オートモードとマニュアルモードとの選択は、図２の操作画面Ｍ２等のＡＵＴＯボタンＢ２により決定してもよいが、操作パネル８０で設定するデフォルト設定において、オートモードを選択することも好適である。
【００４３】
以上、詳細に説明したように、本発明に係る画像形成装置においては、写真サイズが日本規格以外の規格の場合、又、サイズを自動検出する場合等にも適応することができる写真原稿を扱う画像形成装置及び画像形成方法を提供するものである。
【００４４】
（その他の仕様）
更に、本発明に係る画像形成装置においては、北米向の操作画面が図１乃至図３及び図５に示されているが、欧州向けの操作画面が図７乃至図９に、日本向けの操作画面が図１０乃至図１２に示されている。
【００４５】
写真の印画紙のサイズは多種多様であり、各国で標準的なサイズがまちまちであるため、複写機が持っている仕向け情報に応じて、その仕向け（例えば、欧州）に応じた標準的な写真サイズをデフォルトとすることが好適である。しかし、画像形成装置に、複数の仕向け情報を格納しておき、例えば、複数のスイッチを押下した状態で電源投入する等の操作によりサービスモードを呼び出し、サービスモードの画面上から所定のコードを入力することで、日本向を北米向に変更する等の操作により、適宜、仕向けを変更することが好適である。更に、この仕向け変更処理は、電源投入後の操作画面から、デフォルト値の決定を行う画面において行うものであってもよく、これらの例に限定されない。
【００４６】
又、仕向け情報に応じて、標準的な印画紙のサイズだけでなく、図面に示したように、用紙サイズも仕向に応じて、Ａ系列・ＡＢ系列・レター系列のように自動的に切り替わるようにすることも好適である。
【００４７】
上記実施形態では、デフォルトで用意する写真印画紙サイズは４種類で、カスタムとして１種類であるが、その地域での標準的な写真原稿サイズをデフォルトで用意しても、ユーザによっては複写機が予め用意しているデフォルトサイズ以外のサイズを主に使用する場合も考えられるため、すべてのボタンがカスタム設定可能なボタンであっても良い。又、ボタンの数もユーザによって増減できるようにしても良い。更に、カスタム設定したボタンに表示する名称もユーザが任意に設定できるようにしても良い。
【００４８】
又、用紙中央に正確に配置するのが困難であったセンタリングに関しても、原稿台上の基準位置に合わせて原稿をセットするだけで、予め記憶している、又はカスタム設定にて記憶させた写真の印画紙サイズと用紙サイズの情報から、複写機が主走査方向と副走査方向のオフセット量を計算して、自動的に用紙中央正確に配置することが好適である。
【００４９】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００５０】
【図１】本発明に係る画像形成装置の操作部の北米向の基礎画面の表示の一例を示す図。
【図２】本発明に係る画像形成装置の操作部の北米向のフォトズームの表示の一例を示す図。
【図３】本発明に係る画像形成装置の操作部の北米向のフォトズームの表示の一例を示す図。
【図４】本発明に係る画像形成装置の構成の一例を示す断面図。
【図５】本発明に係る画像形成装置の構成の一例を示すブロック図。
【図６】本発明に係る画像形成装置の操作部の北米向のカスタムサイズの表示の一例を示す図。
【図７】本発明に係る画像形成装置の操作部の欧州向の基礎画面の表示の一例を示す図。
【図８】本発明に係る画像形成装置の操作部の欧州向のフォトズームの表示の一例を示す図。
【図９】本発明に係る画像形成装置の操作部の欧州向のカスタムサイズの表示の一例を示す図。
【図１０】本発明に係る画像形成装置の操作部の日本向の基礎画面の表示の一例を示す図。
【図１１】本発明に係る画像形成装置の操作部の日本向のフォトズームの表示の一例を示す図。
【図１２】本発明に係る画像形成装置の操作部の日本向のカスタムサイズの表示の一例を示す図。
【図１３】本発明に係る画像形成装置が扱う印画紙サイズ名と実サイズ、複写倍率との関係を示す図。
【図１４】本発明に係る画像形成装置の写真原稿の複写処理の一例を示すフローチャート。
【図１５】本発明に係る画像形成装置の写真原稿の自動サイズ認識を伴なう複写処理の一例を示すフローチャート。
【符号の説明】
【００５１】
４…スキャナ部、６…プリンタ部、８０点操作パネル、９０…主制御部、９６…画像処理部。
【図１】
2005227588.tif 000003
【図２】
2005227588.tif 000004
【図３】
2005227588.tif 000005
【図４】
2005227588.tif 000006
【図５】
2005227588.tif 000007
【図６】
2005227588.tif 000008
【図７】
2005227588.tif 000009
【図８】
2005227588.tif 000010
【図９】
2005227588.tif 000011
【図１０】
2005227588.tif 000012
【図１１】
2005227588.tif 000013
【図１２】
2005227588.tif 000014
【図１３】
2005227588.tif 000015
【図１４】
2005227588.tif 000016
【図１５】
2005227588.tif 000017